(57)【要約】【課題】  集塵効果を向上させることができるとともに、装置の簡素化を図ることのできる電気集塵装置およびこれを備えた空気調和機を提供すること。【解決手段】  電圧が印加される導電体１８ａを具備した電気集塵装置１８であって、前記導電体１８ａの表面および裏面の双方に、アレルゲン不活性化酵素１８ｃが固定されていることを特徴とする。【選択図】  図３
2005238061.tif 000002
【特許請求の範囲】
【請求項１】
電圧が印加される導電体を具備した電気集塵装置であって、
前記導電体の表面および裏面の双方に、アレルゲン不活性化酵素が固定されていることを特徴とする電気集塵装置。
【請求項２】
前記アレルゲン不活性化酵素が、樹脂材料を介して前記導電体の表面および裏面の双方に固定されていることを特徴とする請求項１に記載の電気集塵装置。
【請求項３】
前記導電体が櫛状またはメッシュ状に露出するように、前記樹脂材料が配置されていることを特徴とする請求項２に記載の電気集塵装置。
【請求項４】
電圧が印加される導電体を具備した電気集塵装置であって、
前記導電体が、樹脂材料の表面上および裏面上に、櫛状またはメッシュ状に配置されているとともに、アレルゲン不活性化酵素が、前記樹脂材料の表面上および裏面上に固定されていることを特徴とする電気集塵装置。
【請求項５】
電圧が印加される導電体と、該導電体の下流側に配置されて、前記導電体により帯電された粒子を捕集する捕集手段とを具備した電気集塵装置であって、
前記捕集手段が、前記粒子と逆の電位に永久帯電された静電フィルタとされていることを特徴とする電気集塵装置。
【請求項６】
電圧が印加される導電体を具備した電気集塵装置であって、
前記導電体の表面および裏面の双方に、アレルゲン不活性化酵素を坦持する酵素坦持体が隣接して配置されていることを特徴とする電気集塵装置。
【請求項７】
アレルゲン不活性化酵素が坦持された酵素坦持体を具備した電気集塵装置であって、
前記酵素坦持体の表面および裏面の双方に、電圧が印加される導電体が隣接して配置されていることを特徴とする電気集塵装置。
【請求項８】
請求項１から７のいずれか一項に記載の電気集塵装置と、
室内の空気を取り入れるための吸込口と、
前記吸込口から取り入れられた空気を冷却または加熱するための室内熱交換器と、
前記室内熱交換器で熱交換された空気を室内に戻すための吹出口と、
前記吸込口から空気を取り入れるとともに、前記吹出口から室内に熱交換された空気を吹き出させるためのファンと、を具備することを特徴とする空調用室内ユニット。
【請求項９】
請求項８に記載の空調用室内ユニットと、
冷媒を圧縮するための圧縮機、および冷媒と室外の空気との熱交換を行わせるための室外熱交換器を有する空調用室外ユニットと、
これら空調用室内ユニットおよび空調用室外ユニットを連結するとともに、冷媒をこれら空調用室内ユニットおよび空調用室外ユニットの間で循環させるための冷媒配管と、を備えてなることを特徴とする空気調和機。
【発明の詳細な説明】
【技術分野】
【０００１】
本発明は電気集塵装置およびこれを備えた空気調和機に関し、特に、室内空気中に浮遊するウィルスや、アレルギー症状の原因物質であるアレルゲン等の不活性化に用いて好適な技術に関するものである。
【背景技術】
【０００２】
室内空気中に浮遊するウィルスやアレルゲン等（以下、「粒子」という）を捕集し、この捕集した粒子を不活性化するものとしては、たとえば、ワイヤ電極と、アレルゲン不活性化酵素を坦持したフィルタとを備えたものや、通過する粒子を帯電させる金網と、この帯電させられた粒子と逆の電位に帯電された、酵素を坦持したフィルタとを備えたもの等が知られている（たとえば、特許文献１参照）。
【特許文献１】特開２００３−２１０９１９号公報（図１５）
【発明の開示】
【発明が解決しようとする課題】
【０００３】
しかしながら、上記特許文献１の図１５に開示されているものでは、粒子を帯電させる帯電部（すなわち、ワイヤ電極や金網）と、帯電部により帯電された粒子を捕集するフィルタとが離間しているため、帯電された粒子がフィルタにうまく到達しなかったり、仮にうまく到達しても帯電させた効果が十分に発揮されず、満足のいく十分な集塵効果を得ることができないといった問題点があった。さらには、不織布のような形状のフィルタを使用した場合、集塵効果を向上させると通気抵抗が大きくなるため適用する装置によって仕様に制限を受けやすいという問題点があった。
【０００４】
また、上記特許文献１の図１５（Ｂ）に開示されているものは、金網を通過した粒子と逆の電位にフィルタを帯電させるための電源装置（あるいは電源回路）が別途必要となるため、装置が大型化するとともに、構造が複雑化してしまうといった問題点もあった。
【０００５】
本発明は、上記の事情に鑑みてなされたもので、集塵効果を向上させることができるとともに、装置の簡素化を図ることのできる電気集塵装置およびこれを備えた空気調和機を提供することを目的とする。
【課題を解決するための手段】
【０００６】
本発明は、上記課題を解決するため、以下の手段を採用した。
請求項１に記載の電気集塵装置は、電圧が印加される導電体を具備した電気集塵装置であって、前記導電体の表面および裏面の双方に、アレルゲン不活性化酵素が固定されていることを特徴とする。
このような電気集塵装置によれば、電圧が印加された導電体により帯電させられた粒子を、当該導電体の表面および裏面に向け引きつけて（あるいは吸引して）捕集するとともに、捕集した粒子をアレルゲン不活性化酵素と接触させて、粒子の活性を低下させる。電気集塵装置のプレートは処理する空気の流れと平行であるため、通気抵抗が非常に小さい。
【０００７】
請求項２に記載の電気集塵装置は、前記アレルゲン不活性化酵素が、樹脂材料を介して前記導電体の表面および裏面の双方に固定されていることを特徴とする。
このような電気集塵装置によれば、アレルゲン不活性化酵素を固定しやすい樹脂材料に、アレルゲン不活性化酵素が固定されることとなるので、樹脂材料を介さない場合よりも多くのアレルゲン不活性化酵素が強固に固定されることとなる。
【０００８】
請求項３に記載の電気集塵装置は、前記導電体が櫛状またはメッシュ状に露出するように、前記樹脂材料が配置されていることを特徴とする。
このような電気集塵装置によれば、櫛状またはメッシュ状に露出した導電体上に、当該導電体により帯電させられた粒子を引きつけて（あるいは吸引して）捕集するとともに、捕集した粒子をアレルゲン不活性化酵素と接触させて、粒子の活性を低下させる。
【０００９】
請求項４に記載の電気集塵装置は、電圧が印加される導電体を具備した電気集塵装置であって、前記導電体が、樹脂材料の表面上および裏面上に、櫛状またはメッシュ状に配置されているとともに、アレルゲン不活性化酵素が、前記樹脂材料の表面上および裏面上に固定されていることを特徴とする。
このような電気集塵装置によれば、導電体が、樹脂材料の表面上および裏面上に、たとえば、プリント基板を作製する要領で固定される。
また、櫛状またはメッシュ状に配置された導電体上に、当該導電体により帯電させられた粒子を引きつけて（あるいは吸引して）捕集するとともに、捕集した粒子をアレルゲン不活性化酵素と接触させて、粒子の活性を低下させる。
【００１０】
請求項５に記載の電気集塵装置は、電圧が印加される導電体と、該導電体の下流側に配置されて、前記導電体により帯電された粒子を捕集する捕集手段とを具備した電気集塵装置であって、前記捕集手段が、前記粒子と逆の電位に永久帯電された静電フィルタとされていることを特徴とする。
このような電気集塵装置によれば、捕集手段として永久帯電させられた静電フィルタが使用されているので、捕集手段を帯電させるための電気部品（あるいは電気回路）を省略することができて、装置の簡素化を図ることができるとともに、製造費の低減化を図ることができる。
また、静電フィルタを構成する繊維にアレルゲン不活性化酵素が坦持されている場合には、捕集された粒子がアレルゲン不活性化酵素と接触して、その活性が低下させられる。
【００１１】
請求項６に記載の電気集塵装置は、電圧が印加される導電体を具備した電気集塵装置であって、前記導電体の表面および裏面の双方に、アレルゲン不活性化酵素を坦持する酵素坦持体が隣接して配置されていることを特徴とする。
このような電気集塵装置によれば、導電体と酵素坦持体とが隣接して配置されているので、導電体により帯電された粒子の略全てを効率よく酵素坦持体により捕集するとともに、捕集した粒子をアレルゲン不活性化酵素と接触させて、粒子の活性を低下させる。
【００１２】
請求項７に記載の電気集塵装置は、アレルゲン不活性化酵素が坦持された酵素坦持体を具備した電気集塵装置であって、前記酵素坦持体の表面および裏面の双方に、電圧が印加される導電体が隣接して配置されていることを特徴とする。
このような電気集塵装置によれば、酵素坦持体が、当該酵素坦持体よりも強固な導電体の間に挟み込まれているので、形状の維持を容易なものとすることができ、形状維持のために必要とされたフレーム（あるいは支持部材）等の部材を低減させることができて、製造コストの低減化を図ることができる。
【００１３】
請求項８に記載の空調用室内ユニットは、請求項１から７のいずれか一項に記載の電気集塵装置と、室内の空気を取り入れるための吸込口と、前記吸込口から取り入れられた空気を冷却または加熱するための室内熱交換器と、前記室内熱交換器で熱交換された空気を室内に戻すための吹出口と、前記吸込口から空気を取り入れるとともに、前記吹出口から室内に熱交換された空気を吹き出させるためのファンと、を具備することを特徴とする。
このような空調用室内ユニットによれば、従来よりも多くの粒子を捕集することができるとともに、この捕集した粒子をアレルゲン不活性化酵素と接触させてその活性を十分に低下させることのできる電気集塵装置を具備しているので、室内におけるアレルギー症状の発症が防止または抑制される。
【００１４】
請求項９に記載の空気調和機は、請求項８に記載の空調用室内ユニットと、冷媒を圧縮するための圧縮機、および冷媒と室外の空気との熱交換を行わせるための室外熱交換器を有する空調用室外ユニットと、これら空調用室内ユニットおよび空調用室外ユニットを連結するとともに、冷媒をこれら空調用室内ユニットおよび空調用室外ユニットの間で循環させるための冷媒配管と、を備えてなることを特徴とする。
このような空気調和機によれば、従来よりも多くの粒子を捕集することができるとともに、この捕集した粒子をアレルゲン不活性化酵素と接触させてその活性を十分に低下させることのできる電気集塵装置を具備した空調用室内ユニットを具備しているので、室内におけるアレルギー症状の発症が防止または抑制されるとともに、季節を問わず年間を通じて室内温度を所望の温度に設定することができる。
【発明の効果】
【００１５】
本発明によれば、室内空気中に浮遊するより多くのウィルスやアレルゲン等の粒子を捕集することができるとともに、この捕集した粒子を効率よくアレルゲン不活性化酵素と接触させて、これら粒子を不活性化させることができ、かつ装置の簡素化を図ることができる。
【発明を実施するための最良の形態】
【００１６】
以下、本発明に係る電気集塵装置および空気調和機の第１実施形態を、図面に基づいて説明する。
図１は電気集塵装置１８を備えた空調用室内ユニット１０の断面図、図２は空調用室内ユニット１０および空調用室外ユニット３０よりなる空気調和機１００の概略構成を示す斜視図である。
【００１７】
図１または図２に示すように、この空調用室内ユニット１０は、室内の空気を取り入れるための吸込グリル（吸込口）１１と、吸込グリル１１から取り入れられた室内の空気を冷却または加熱するための室内熱交換器１３，１４，１５と、この室内熱交換器１３，１４，１５で熱交換された空気を室内に戻すための吹出口１６と、吸込グリル１１から空気を取り入れるとともに、吹出口１６から室内に熱交換された空気を吹き出させるためのクロスフローファン１７と、室内熱交換器１４の空気流路上流側近傍で上方となる位置に配設された電気集塵装置１８とを主たる要素として構成されたものである。
なお、空調用室内ユニット１０の内部前面から内部上面にかけて配置され、吸込グリル１１を通過して室内熱交換器１３，１４，１５に導かれる空気中から塵・ゴミ等の不純物を取り除くためのプレフィルター１９が設けられている。
【００１８】
上述した空調用室内ユニット１０において、吸込グリル１１、室内熱交換器１３，１４，１５、吹出口１６、クロスフローファン１７、およびプレフィルター１９については従来周知のものであるので、ここではその説明は省略する。
また、吹出口１６には、吹出方向を調整するため、周知の吹出ルーバー２０および吹出フラップ２１が設けられている。なお、吹出フラップ２１の動作により、吹出口１６の開閉が可能である。
【００１９】
図２は、上述した空調用室内ユニット１０を備える空気調和機１００の概略構成図である。
図２において、図中の符号３０は空調用室外ユニットである。この空調用室外ユニット３０は、冷媒を圧縮するための圧縮機３１、冷媒と室外の空気との熱交換を行わせるための室外熱交換器３２、および室外熱交換器３２における冷媒と室外の空気との熱交換を促進させる室外ファン３３を有するものである。なお、この空調用室外ユニット３０には、図示しない四方弁および電子膨張弁も配設されている。
【００２０】
また、符号５０は、これら空調用室内ユニット１０および空調用室外ユニット３０を連結するとともに、冷媒をこれら空調用室内ユニット１０および空調用室外ユニット３０の間で循環させるための冷媒配管である。
なお、図中の符号６０はリモコン（リモートコントローラ）であり、これにより空気調和機１００の運転状態が設定され得るようになっている。
【００２１】
図２に示すように、電気集塵装置１８は、粒子を帯電させる帯電部１を主たる要素として構成されたものである。
帯電部１は、複数枚のプレート（導電体）１８ａからなり、各プレート１８ａは導電性材料（たとえば、導電性ポリマー等）を用いて作製されたものである。
また、図３に示すように、各プレート１８ａには、電源手段１８ｂを介してプラス（あるいはマイナス）の電圧が印加されるようになっている。各プレート１８ａは平面視略平行四辺形を有する薄板部材であり、その表面（図３に示す面）およびその裏面（図３の紙面において奥側の面）上には、アレルゲン不活性化酵素１８ｃが共有結合させられている。
図２からもわかるように、各プレート１８ａは、その表面および裏面が空気の流れに対して略平行となるように、すなわち、吸込グリル１１から室内熱交換器１４に流れ込む空気の流れを妨げない方向に配置されている。
【００２２】
アレルゲン不活性化酵素（以下、「酵素」という）１８ｃとしては、ウィルスやアレルゲン等の粒子を構成するタンパク質を変成もしくは分解できるものであり、特に限定はないが、たとえばプロテアーゼやペプチターゼが挙げられる。
プロテアーゼは、タンパク質分子のペプチド結合を加水分解する酵素で、タンパク質はペプトン化される。また、ペプチアーゼは、ペプチド鎮のアミノ末端あるいはカルボキシ末端のペプシド結合を加水分解する働きがある。さらに、適用する酵素は、酸性・中性・塩基性の酵素が利用可能であり、１００万Ｕ（１分間に１μｍｏｌのタンパク質を分解する酵素の単位）のものである。ただし、これ以上であっても何ら問題はない。
【００２３】
このようなプレート１８ａを有する電気集塵機１８によれば、電源手段１８ｂにより電圧が印加されたプレート１８ａとプレート１８ａとの間（あるいはプレート１８ａの近傍）を通過する粒子を帯電させるとともに、帯電された粒子をプレート１８ａの表面上および裏面上に引きつけて（吸引して）捕集することができるので、集塵効果を向上させることができる。
また、プレート１８ａ上に捕集された粒子は、プレート１８ａ上に固定された酵素１８ｃと接触することにより活性が低下させられているので、プレート１８ａへの通電が停止された運転停止時や、風量変化時において捕集した粒子が室内に再飛散したとしても、生体への悪影響を低減させることができる。
【００２４】
図４は、電気集塵装置の第２実施形態を示す図であって、図３同様、電気集塵装置２８のプレート２８ａを平面視した平面図である。なお、本実施形態による電気集塵装置２８が搭載される空調用室内ユニットおよび空気調和機についての説明は、前述した第１実施形態と同じであるので、ここではその説明を省略する。
図４に示すように、電気集塵装置２８は、粒子を帯電させる帯電部２１ａを主たる要素として構成されたものである。
帯電部２１ａは、複数枚のプレート２８ａからなり、各プレート２８ａは樹脂材料（たとえば、ポリスチレン（ＰＳ）等）を用いて作製されたものである。各プレート２８ａは平面視略平行四辺形を有する薄板部材であり、その表面（図４に示す面）およびその裏面（図４の紙面において奥側の面）上には、導電性材料（たとえば、導電性ポリマー等）２８ｂが櫛状（すなわち、空気の流れに対して略平行となる複数本の筋状となるよう）に固定されている。プレート２８ａ上への導電性材料２８ｂの固定は、プリント基板を作製する要領で行うことができる。
導電性材料２８ｂの部分には、電源手段２８ｃを介してプラス（あるいはマイナス）の電圧が印加されるようになっているとともに、導電性材料２８ｂが固定されていないプレート２８ａ上には、酵素２８ｄが固定（あるいは塗布）されている。
【００２５】
このようなプレート２８ａを有する電気集塵装置２８によれば、酵素２８ｄを容易に固定することのできる樹脂材料からなるプレート２８ａ上に酵素２８ｄが固定されるようになっているので、前述した第１実施形態のものよりもより多くの酵素２８ｄをより強固に固定することができて、集塵能力の低下を長期間にわたって防止することができる。
また、その他の作用効果は前述した第１実施形態のものと同様であるので、ここではその説明を省略する。
【００２６】
図５は、電気集塵装置の第３実施形態を示す図であって、図２および図３同様、電気集塵装置３８のプレート３８ａを平面視した平面図である。なお、本実施形態による電気集塵装置３８が搭載される空調用室内ユニットおよび空気調和機についての説明は、前述した第１実施形態と同じであるので、ここではその説明を省略する。
図５に示すように、電気集塵装置３８は、粒子を帯電させる帯電部３１ａを主たる要素として構成されたものである。
帯電部３１ａは、複数枚のプレート３８ａからなり、各プレート３８ａは樹脂材料（たとえば、ポリスチレン（ＰＳ）等）を用いて作製されたものである。各プレート３８ａは平面視略平行四辺形を有する薄板部材であり、その表面（図５に示す面）およびその裏面（図５の紙面において奥側の面）上には、導電性材料（たとえば、導電性ポリマー等）３８ｂがメッシュ状（すなわち、空気の流れに対して略平行となる複数本の筋状と、空気の流れに対して略直交する複数本の筋状とを有するよう）に固定されている。プレート３８ａ上への導電性材料３８ｂの固定は、プリント基板を作成する要領で行うことができる。
導電性材料３８ｂの部分には、電源手段３８ｃを介してプラス（あるいはマイナス）の電圧が印加されるようになっているとともに、導電性材料３８ｂが固定されていないプレート３８ａ上には、酵素３８ｄが固定（あるいは塗布）されている。
【００２７】
このようなプレート３８ａを有する電気集塵装置３８によれば、導電性材料３８ｂがメッシュ状に配置されているので、前述した第２実施形態のものよりも広範囲にわたってより多くの粒子を捕集することができて、集塵効果を向上させることができる。
また、その他の作用効果は前述した第２実施形態のものと同様であるので、ここではその説明を省略する。
【００２８】
ここで、第２実施形態および第３実施形態における導電性材料２８ｂ，３８ｂと導電性材料２８ｂ，３８ｂとのピッチ（間隙）は、５〜１０μｍであることが好ましい。
導電性材料２８ｂ，３８ｂと導電性材料２８ｂ，３８ｂとのピッチを５〜１０μｍとすることにより、プレート２８ａ，３８ａの表面および裏面の全体にわたって略満遍なく粒子が付着するようになって、集塵効果をさらに向上させることができる。
また、導電性材料２８ｂ，３８ｂと導電性材料２８ｂ，３８ｂとのピッチを、アレルゲンの粒径に近い大きさ、すなわち、５μｍとするとさらに好適である。
導電性材料２８ｂ，３８ｂと導電性材料２８ｂ，３８ｂとのピッチをアレルゲンの粒径に近い大きさとすることにより、プレート２８ａ，３８ａの表面および裏面の全体にわたって満遍なくかつ密な状態で粒子が付着するようになって、集塵効果をより一層向上させることができる。
しかし、現段階における製作工程の容易さを考慮すると、導電性材料２８ｂ，３８ｂと導電性材料２８ｂ，３８ｂとのピッチは、１０μｍであることが望ましい。
【００２９】
図６は、電気集塵装置の第４実施形態を示す概略構成図である。なお、本実施形態による電気集塵装置４８が搭載される空調用室内ユニットおよび空気調和機についての説明は、前述した第１実施形態と同じであるので、ここではその説明を省略する。
図６に示すように、電気集塵装置４８は、粒子を帯電させる帯電部４１と、この帯電部４１により帯電させられた粒子を捕集する捕集手段４２とを主たる要素として構成されたものである。
帯電部４１は、複数枚のプレート（導電体）４１ａからなり、各プレート４１ａは導電性材料（たとえば、導電性ポリマー等）を用いて作製されたものである。各プレート４１ａは平面視略平行四辺形を有する薄板部材であり、各プレート４１ａには、図示しない電源手段を介してプラスの電圧が印加されるようになっている。
【００３０】
捕集手段４２は、帯電部４１により帯電させられた粒子と逆の電位（すなわち、マイナスの電位）に永久帯電させられた静電フィルタであり、この静電フィルタを構成する繊維には、前述した酵素が固定されている。
【００３１】
このように、捕集手段４２として永久帯電させられた静電フィルタが使用されているので、捕集手段４２を帯電させるための電気部品（あるいは電気回路）を省略することができて、装置の簡素化を図ることができるとともに、製造費の低減化を図ることができる。
また、捕集手段４２により捕集された粒子は、静電フィルタを構成する繊維に固定された酵素と接触して、その活性が低下させられているため、何らかの原因で室内に再飛散したとしても生体への悪影響を低減させることができる。
【００３２】
図７は、電気集塵装置の第５実施形態を示す概略構成図である。本実施形態による電気集塵装置５８は、第４実施形態における帯電部４１に、イオナイザを使用している点で前述した第４実施形態のものと異なる。
すなわち、図７に示すように、電気集塵装置５８は、粒子をマイナスに帯電させるとともにマイナスイオンを発生させる帯電部５１と、この帯電部５１によりマイナスに帯電された粒子を捕集する捕集手段５２とを主たる要素として構成されたものである。
なお、本実施形態による電気集塵装置５８が搭載される空調用室内ユニットおよび空気調和機についての説明は、前述した第１実施形態と同じであるので、ここではその説明を省略する。
【００３３】
帯電部５１は、複数枚のプレート（導電体）５１ａからなり、各プレート５１ａは導電性材料（たとえば、導電性ポリマー等）を用いて作製されたものである。各プレート５１ａは平面視略平行四辺形を有する薄板部材であり、各プレート５１ａには、図示しない電源手段を介してマイナスの電圧が印加されるようになっている。
捕集手段５２は、帯電部５１により帯電させられた粒子と逆の電位（すなわち、プラスの電位）に永久帯電させられた静電フィルタであり、この静電フィルタを構成する繊維には、前述した酵素が固定されている。
【００３４】
このように、帯電部５１としてイオナイザが使用されているので、マイナスイオンを室内に供給することができて、居住者の健康へのプラス効果も期待できる。
その他の作用効果は、前述した第４実施形態のものと同じであるので、ここではその説明を省略する。
【００３５】
図８は、電気集塵装置の第６実施形態を示す概略構成図である。なお、本実施形態による電気集塵装置６８が搭載される空調用室内ユニットおよび空気調和機についての説明は、前述した第１実施形態と同じであるので、ここではその説明を省略する。
図８に示すように、電気集塵装置６８は、粒子を帯電させる帯電部（導電体）６１と、この帯電部６１の表面および裏面に隣接（あるいは当接）して配置された酵素坦持体６２とを主たる要素として構成されたものである。
帯電部６１は、メッシュ状の金属材料からなり、電源手段６３を介してプラスあるいはマイナスの電圧が印加されるようになっている。
【００３６】
酵素坦持体６２は、不織布からなるフィルタであり、このフィルタの本体を構成する繊維に酵素が直接坦持されたものである。フィルタの本体を構成する繊維としては、例えば、ガラス、レーヨン、セルロース、ポリプロピレン、ポリエチレンテレフタレート、ポリアクリル酸系、ポリアクリルアミド系統等の繊維が挙げられる。
ここで、酵素を繊維に担持させる場合、物理的に担持する形態には限らず、化学的に担持する形態も利用できる。例えば、基材のカルボキシル基をアジト化し、アミド結合により酵素と化学結合させることで、酵素を基材に担持させることができる。なお、カルボキシル基に限らず、水酸基やアミノ基等の官能基であっても、化学結合に利用することができる。このように、化学的に担持する方法は、従来から知られている（新実験化学講座  生物化学（Ｉ），ｐ．３６３〜４０９，丸善（１９７８））。
なお、この酵素を坦持したフィルタについては、本出願人が先に出願した特願2002-019004にも詳しくなされている。
【００３７】
これら帯電部６１と酵素坦持体６２とは、ニードルパンチ等の工法により互いに絡め合わされているとともに、空気（air）の流れに対して直交する方向、すなわち、帯電部６１および酵素坦持体６２の表面に対して空気が略垂直に流入するように配置されている。
【００３８】
このように、帯電部６１と酵素坦持体６２とが隣接して配置されているので、帯電部６１により帯電された粒子を効率よく酵素坦持体６２で捕集することができ、集塵効率を向上させることができる。
また、酵素坦持体６２に捕集された粒子は、フィルタの本体を構成する繊維に固定された酵素と接触して、その活性が低下させられるため、何らかの原因で室内に再飛散したとしても生体への悪影響を低減させることができる。
【００３９】
図９は、電気集塵装置の第７実施形態を示す概略構成図である。なお、本実施形態による電気集塵装置７８が搭載される空調用室内ユニットおよび空気調和機についての説明は、前述した第１実施形態と同じであるので、ここではその説明を省略する。
図９に示すように、電気集塵装置７８は、酵素坦持体７１と、この酵素坦持体７１の表面および裏面に隣接（あるいは当接）して配置され、通過する粒子を帯電させる帯電部（導電体）７２とを主たる要素として構成されたものである。
本実施形態における酵素坦持体７１および帯電部７２はそれぞれ、第６実施形態のところで説明した酵素坦持体６２および帯電部６１と全く同じものであるので、ここではその説明を省略する。
また、本実施形態における酵素坦持体７１は、帯電部７２と帯電部７２との間に単に挟み込まれたものとなっている。すなわち、前述した第６実施形態のように、酵素坦持体７１と帯電部７２とをニードルパンチ等の工法により互いに絡め合わすような処理はなされていない。
さらに、各帯電部７２には、電源手段７３を介してプラス（あるいはマイナス）の電圧が印加されるようになっている。
【００４０】
このように、酵素坦持体７１が、当該酵素坦持体７１よりも強固な帯電部７２の間に挟み込まれているので、前述した第６実施形態のものよりも形状の維持を容易なものとすることができ、形状維持のために必要とされたフレーム（あるいは支持部材）等の部材を低減させることができて、製造コストの低減化を図ることができる。
また、粒子を帯電させてその粒子を引きつける帯電部７２が前述した第６実施形態のものよりも多くなるので、集塵効果をさらに向上させることができる。
その他の作用効果は、前述した第６実施形態のものと同じであるので、ここではその説明を省略する。
【００４１】
なお、図４および図５を用いて説明した第２実施形態および第３実施形態のプレートと導電性材料との配置を逆にすることもできる。すなわち、プレートを導電性材料とし、その上に樹脂材料を固定するようにして製造することもできる。言い換えれば、導電性材料の上に樹脂材料を積層して製造することもできる。前述したように、この樹脂材料の上には、酵素が固定（あるいは塗布）されている。
【００４２】
また、導電性材料を図４または図５のように、櫛状あるいはメッシュ状に露出させるのではなく、導電性材料の表面および裏面の全体を、帯電させられた粒子が導電性材料に引きつけられて（吸引されて）樹脂材料の表面上に付着する程度に薄い樹脂材料で覆ってしまうようにすることもできる。
【００４３】
さらに、図４に示す導電性材料の延在方向を、図４に示す方向と直交する方向、すなわち、空気の流れに対して略直交する方向とすることもできる。
このように、導電性材料を流路と直交する方向に設けることにより、粒子を満遍なく帯電させることができるとともに、帯電された粒子をより多く帯電部に引きつけて（吸引して）捕集することができて、集塵効果をさらに向上させることができる。
【００４４】
さらにまた、今まで述べてきた電気集塵装置に具備されているアレルゲン不活性化酵素は、常温、常湿でも活性を有するが、高温多湿の雰囲気でより活性化するという知見が得られている。したがって、これら電気集塵装置を収容する空調用室内ユニットの内部に、当該空調用室内ユニットの内部空間内を高温多湿のアレルゲン酵素活性化雰囲気に維持する酵素活性化手段が設けられているとさらに好適である。
ここで、アレルゲン不活性化酵素が活性化する高温多湿の雰囲気を具体的に示すと、２０℃以上の温度でかつ５０％ＲＴ以上の湿度とするのが好ましく、より好適な温度は３５℃〜５０℃であり、また、より好適な湿度は７０％ＲＴ〜９０％ＲＴである。
なお、この酵素活性化手段酵素については、本出願人が先に出願した特願2003-73662にも詳しくなされている。
【００４５】
以上説明した本発明による電気集塵装置は、上述した空気調和機のみに適用されるものではなく、例えば掃除機等にも適用することができる。
【図面の簡単な説明】
【００４６】
【図１】本発明による電気集塵装置を備えた空調用室内ユニットの断面図である。
【図２】本発明による電気集塵装置を備えた空調用室内ユニットおよび空調用室外ユニットよりなる空気調和機の概略構成を示す斜視図である。
【図３】本発明による電気集塵装置の第１実施形態を示す概略構成図である。
【図４】本発明による電気集塵装置の第２実施形態を示す概略構成図である。
【図５】本発明による電気集塵装置の第３実施形態を示す概略構成図である。
【図６】本発明による電気集塵装置の第４実施形態を示す概略構成図である。
【図７】本発明による電気集塵装置の第５実施形態を示す概略構成図である。
【図８】本発明による電気集塵装置の第６実施形態を示す概略構成図である。
【図９】本発明による電気集塵装置の第７実施形態を示す概略構成図である。
【符号の説明】
【００４７】
１０    空調用室内ユニット
１１    吸込グリル（吸込口）
１３    室内熱交換器
１４    室内熱交換器
１５    室内熱交換器
１６    吹出口
１７    クロスフローファン（ファン）
１８    電気集塵装置
１８ａ  プレート（導電体）
１８ｃ  アレルゲン不活性化酵素
２８    電気集塵装置
２８ａ  プレート（樹脂材料）
２８ｂ  導電性材料（導電体）
２８ｄ  アレルゲン不活性化酵素
３０    空調用室外ユニット
３１    圧縮機
３２    室外熱交換器  
３８    電気集塵装置
３８ａ  プレート（樹脂材料）
３８ｂ  導電性材料（導電体）
３８ｄ  アレルゲン不活性化酵素
４１ａ  プレート（導電体）
４２    捕集手段
４８    電気集塵装置
５０    冷媒配管
５１ａ  プレート（導電体）
５２    捕集手段
５８    電気集塵装置
６１    帯電部（導電体）
６２    酵素坦持体
６８    電気集塵装置
７１    酵素坦持体
７２    帯電部（導電体）
７８    電気集塵装置
１００    空気調和機
【図１】
2005238061.tif 000003
【図２】
2005238061.tif 000004
【図３】
2005238061.tif 000005
【図４】
2005238061.tif 000006
【図５】
2005238061.tif 000007
【図６】
2005238061.tif 000008
【図７】
2005238061.tif 000009
【図８】
2005238061.tif 000010
【図９】
2005238061.tif 000011